(57)【要約】【課題】埃センサ内部に浮遊粒子が堆積し難くい空気清浄機を提供する。【解決手段】空気清浄機（１）は、空気清浄機本体の下部に、清浄用空気を吸い込む下部吸込口が設けられる一方、同下部に、空気中に含まれる浮遊粒子の粒径を検出する埃センサ（７）であって、上昇気流を発生させるためのヒータ（３６）を内部に備えた埃センサ（７）が、検出用空気を取り込む吸引口（３１）を下部吸込口に吸い込まれる空気の流れに面して配設されている。埃センサ（７）を収容する空気清浄機本体に形成された埃センサ収容部（２０）を区画する隔壁のうちの、吸引口（３１）に対応する開口（２５）を有する少なくとも前カバー（２２）が、帯電防止性を有している。【選択図】図５
2016109317.tif 000002
【特許請求の範囲】
【請求項１】
空気清浄機本体の下部に、清浄用空気を吸い込む吸込口が設けられる一方、同下部に、空気中に含まれる浮遊粒子の粒径を検出する検出器であって、上昇気流を発生させるための発熱部を内部に備えた検出器が、検出用空気を取り込む取込穴を前記吸込口に吸い込まれる空気の流れに面して配設された空気清浄機において、
前記検出器を収容する空気清浄機本体に形成された収容部を区画する隔壁のうちの、前記取込穴に対応する開口を有する少なくともカバー部が、帯電防止性を有することを特徴とする空気清浄機。
【請求項２】
前記吸込口から清浄用空気を吸い込む運転モード時、前記カバー部における前記開口を部分的に閉鎖する蓋部が設けられていることを特徴とする請求項１に記載の空気清浄機。
【請求項３】
前記蓋部は、前記吸込口を開放する動作に連動して前記開口を部分的に閉鎖することを特徴とする請求項２に記載の空気清浄機。
【請求項４】
前記蓋部は、前記吸込口に吸い込まれる清浄用空気の流れの力によって前記開口を部分的に閉鎖することを特徴とする請求項２に記載の空気清浄機。
【請求項５】
前記検出器は、内部にさらに冷却部を備え、前記発熱部と前記冷却部とにより上昇気流を発生させることを特徴とする請求項１から４の何れか１項に記載の空気清浄機。
【請求項６】
前記発熱部の発熱温度が切り換え可能であり、
前記吸込口から清浄用空気を吸い込む運転モード時の発熱温度が、前記吸込口から清浄用空気を吸い込まない他の運転モード時の発熱温度よりも低いことを特徴とする請求項１から４の何れか１項に記載の空気清浄機。
【発明の詳細な説明】
【技術分野】
【０００１】
本発明は、埃センサを搭載した空気清浄機に関する。
【背景技術】
【０００２】
空気清浄機本体の下部に、空気を吸い込む吸込口が設けられた空気清浄機が従来からある。粒径の大きいダニの糞や死骸、花粉、埃等の塵埃は沈降しやすいため、室内の低域空間に多く分布している。空気清浄機の下部に吸込口を設けることで、粒径の大きい塵埃を多く含む空気を吸い込むことができる。
【０００３】
このような空気清浄機には、空気中に含まれる浮遊粒子の粒径を検出する埃センサ（浮遊粒子計測機器）が搭載されている。空気清浄機は、埃センサにて粒径の大きい浮遊粒子が検出されると、下部に設けられた吸込口を開放して、室内の低域空間の空気を吸い込み、清浄する（例えば、特許文献１）。
【０００４】
埃センサには、吸込口から吸い込まれた空気の流路に配設されるタイプや、空気を自己吸引するタイプ（自己吸引式）などがある。
【先行技術文献】
【特許文献】
【０００５】
【特許文献１】特開２００９−９５７６８号公報（２００９年７月７日公開）
【発明の概要】
【発明が解決しようとする課題】
【０００６】
しかしながら、上記従来の空気清浄機においては、使用している間に、埃センサ内部に浮遊粒子が堆積して、検出精度が低下する問題がある。
【０００７】
埃センサの内部の壁面や照明部、受光素子は、通常、帯電防止策が施され、塵埃等の浮遊粒子が付着し難いように構成されている。しかしながら、たとえ帯電防止策が施されていたとしても、浮遊粒子が埃センサ内部に堆積すると、堆積した浮遊粒子が照明部や受光素子に付着してしまい、検出精度が低下する。
【０００８】
本発明は、上記課題に鑑みなされたもので、その目的は、埃センサ内部に浮遊粒子が堆積し難くい空気清浄機を提供することにある。
【課題を解決するための手段】
【０００９】
上記の課題を解決するために、本発明の一態様に係る空気清浄機は、空気清浄機本体の下部に、清浄用空気を吸い込む吸込口が設けられる一方、同下部に、空気中に含まれる浮遊粒子の粒径および数量を検出する検出器であって、上昇気流を発生させるための発熱部を内部に備えた検出器が、検出用空気を取り込む取込穴を前記吸込口に吸い込まれる空気の流れに面して配設される。
【００１０】
このように構成された空気清浄機において、前記検出器を収容する空気清浄機本体に形成された収容部を区画する隔壁のうちの、前記取込穴に対応する開口を有する少なくともカバー部が、帯電防止性を有することを特徴としている。
【００１１】
また、前記カバー部における、前記取込穴に対応する開口を塞ぐための蓋部を有することが好ましい。
【００１２】
また、前記取込穴から前記検出器内部に取り込む空気の量を変化させるために、前記検知器内部に、発熱量を変更することが可能な発熱部や、ペルチェ素子等の冷却部を設けることが好ましい。
【発明の効果】
【００１３】
本発明の一態様によれば、埃センサ等の前記検出器の内部に取り込まれる浮遊粒子の帯電を抑制して浮遊粒子が堆積し難い構成とでき、これにより、長期に亘って埃センサの検出精度を維持できるという効果を奏する。
【００１４】
また、本発明の一態様によれば、検出器の内部に取り込まれる空気の量を調節することで浮遊粒子が堆積し難い構成とでき、これにより、長期に亘って埃センサの検出精度を維持できるという効果を奏する。
【図面の簡単な説明】
【００１５】
【図１】本発明の実施形態１に係る空気清浄機の外観を示す斜視図である。
【図２】上記空気清浄機の通常運転モード時の状態を示す斜視図である。
【図３】上記空気清浄機の足元吸込モード時の状態を示す斜視図である。
【図４】上記空気清浄機の制御系の要部構成を示すブロック図である。
【図５】上記空気清浄機における埃センサ搭載部分の構成を示す模式図である。
【図６】本発明の実施形態２に係る空気清浄機における埃センサ搭載部分の構成を示す模式図である。
【図７】本発明の実施形態３に係る空気清浄機における埃センサ搭載部分の構成を示す模式図である。
【図８】本発明の実施形態４に係る空気清浄機における埃センサ搭載部分の構成を示す模式図である。
【図９】本発明の実施形態５に係る空気清浄機における埃センサ搭載部分の構成を示す模式図である。
【図１０】本発明の実施形態６に係る空気清浄機における埃センサ搭載部分の構成を示す模式図である。
【発明を実施するための形態】
【００１６】
〔実施形態１〕
以下、本発明の実施の形態について、図１〜図５を用いて説明する。
【００１７】
本発明の一実施形態における空気清浄機１は、図１に示すように、略箱形に形成された空気清浄機本体３を有する。空気清浄機本体３の前面には、可動式の前パネル２が設けられている。この前パネル２の移動により、室内の空気（清浄用空気）を取り込む下部吸込口４および側部吸込口５が開閉される。
【００１８】
具体的には、図２に示すように、前パネル２が前方（正面側）に移動することで、側部吸込口５が開放される（通常運転モード）。また、図３に示すように、前方に移動した前パネル２が上方にさらに移動することで、側部吸込口５に加えて下部吸込口４が開放される（足元吸込モード）。
【００１９】
下部吸込口４は、空気清浄機本体３の前面下部に設けられた横長の吸込口であり、空気清浄機本体３が設置されている床上近傍の低い位置の空気を吸い込む。一方、側部吸込口５は、空気清浄機本体３の両側面に設けられた縦長の吸込口であり、下部吸込口４よりも高い位置の空気を吸い込む。
【００２０】
前パネル２の移動は、図４に示すように、制御部１０にて前パネル用駆動部１１が駆動されることで行われる。図４は、空気清浄機１の制御系の要部構成を示すブロック図である。前パネル２には、図２又は図３に示すように、前パネル用駆動部１１からの駆動力が伝達されるアーム１３が設けられている。
【００２１】
空気清浄機本体３の天面正面側には、空気清浄機１の運転状態などをＬＥＤと表示文字などで視覚的に表示する表示部１５と、ボタンなどで空気清浄機１に対する操作を受け付ける操作部１６とが設けられている。
【００２２】
また、図示してはいないが、空気清浄機本体３の天面背面側には、清浄空気を吹き出す吹出口が設けられている。吹出口には、回動して吹出口からの空気の吹き出し方向を上方又は斜め前方に変更する吹出ルーバ１４が設けられている（図４参照）。吹出ルーバ１４の回動は、制御部１０にてルーバ用駆動部１２が駆動されることで行われる。
【００２３】
空気清浄機本体３の内部には、図示してはいないが、空気中に含まれる浮遊粒子を捕捉するフィルタや、このフィルタに通風するファンモータなどが備えられている。ファンモータの駆動により側部吸込口５から、あるいは側部吸込口５と下部吸込口４の両方から空気（清浄用空気）が吸い込まれる。吸い込まれた空気はフィルタを通って清浄化されたのち、吹出口から吹き出される。空気中に含まれる浮遊粒子には、ダニの糞や死骸、花粉、埃、タバコの煙、ウイルス、臭気等がある。このうち、ダニの糞や死骸、花粉、埃の塵埃は、タバコの煙、ウイルス、臭気等に比べて粒径が大きく重い。
【００２４】
空気清浄機本体３の側面下部の下部吸込口４近傍には、空気中の浮遊粒子の粒径および数量を検出する埃センサ（検出器）７が搭載されている。制御部１０は、埃センサ７の検出値に応じて、下部吸込口４を開閉し、また、吹出ルーバ１４を回動させて、吹出口６の吹き出し方向を変更する。
【００２５】
埃センサ７は、例えば、検出する浮遊粒子の粒径の大きさが１．０μｍ〜２．５μｍ未満の場合に出力値Ａを制御部１０に送り、２．５μｍ以上の場合に値Ａとは異なる出力値Ｂを制御部１０に送る。
【００２６】
検出した浮遊粒子の粒径が２．５μｍ以上の場合、埃センサ７は、１．０μｍ以上の場合の出力値Ａと、２．５μｍ以上の場合の出力値Ｂとの２種類を制御部１０に送る。このとき、制御部１０は、一定のサンプリング時間内の出力値Ａ，Ｂの出力頻度が、それぞれ基準以上であれば、大粒径の浮遊粒子と小粒径の浮遊粒子の両方を検出したと判別する。これに対し、出力値Ａ，Ｂの出力頻度が基準未満のときは、制御部１０は大粒径の浮遊粒子を検出したと判別する。
【００２７】
また、検出した浮遊粒子の粒径が１．０μｍ以上２．５μｍ未満の場合、埃センサ７は、１．０μｍ〜２．５μｍ未満の場合の出力値Ａのみ制御部１０に送る。このとき、制御部１０は、一定のサンプリング時間内の出力値Ａの出力頻度が基準以上のときは、小粒径の浮遊粒子を検出したと判別する。検出した浮遊粒子の粒径が１．０μｍ未満の場合、埃センサ７は、出力値Ａも出力値Ｂも出力しない。このとき、制御部１０は、浮遊粒子を検出していないと判別する。
【００２８】
上記構成においては、空気清浄機１の運転中（通常運転モード時）に、埃センサ７にて大粒径の浮遊粒子（大粒径単独もしくは小粒径の浮遊粒子と一緒）が検出されると、制御部１０は下部吸込口４を開放して足元吸込モードに移行する。
【００２９】
下部吸込口を開放することで、低域空間空気の吸気比率の高い第１気流が形成される。第１気流は、室内の低域空間に多く分布し浮遊する粒径の大きいダニの糞や死骸、花粉、埃等の塵埃（浮遊粒子）を巻き込みながら、空気清浄機本体３の前面下部に到達する。このように形成した循環気流が空気清浄機本体３の下部吸込口４に吸引されて、フィルタで粒径の大きい浮遊粒子を除去して空気を清浄化することができる。このとき、吹出口６の吹出ルーバ１４を回動して斜め前方に設定することにより、第１気流を形成しやすくなる。
【００３０】
また、制御部１０は埃センサ７にて小粒径の浮遊粒子が単独で検出されると、下部吸込口４を閉鎖して通常運転モードに戻る。これにより、高域空間空気の吸気比率の高い第２気流が形成される。該第２気流は、室内の高域空間に多く分布し浮遊する粒径の小さいタバコの煙やウイルス、臭気等の浮遊粒子を巻き込みながら、空気清浄機本体３の側面に到達する。このように形成した循環気流が空気清浄機本体３の側部吸込口５に吸引されて、フィルタで粒径の小さい浮遊粒子を除去して空気を清浄化することができる。このとき、吹出口６の吹出ルーバ１４を回動して上方向に設定することにより、第２気流を形成しやすくなる。
【００３１】
次に、空気清浄機１における特徴的部分について、図５を参照してさらに詳しく説明する。図５は、空気清浄機１における埃センサ７搭載部分の構成を示す模式図である。
【００３２】
図５に示すように、埃センサ７は、粒径および数量を計測するための照明部３４および受光素子３５と、埃センサ７内部に空気を吸引するためのヒータ（発熱部）３６とが、ケース３０内に設けられたセンサユニットである。ケース３０には、ケース３０内部に空気（検出用空気）を取り込む吸引口（取込穴）３１と、ケース３０外部に空気を排出する排出口３２とが形成されている。
【００３３】
ヒータ３６は、ケース３０内部の空間下部に配設されている。ヒータ３６は、ケース３０内部の空間下部で空気を暖めて上昇気流を発生させて、吸引口３１から検出用の空気を引き込む。検出時、ヒータ３６がＯＮすることで、上昇気流が発生し、吸引口３１からケース３０内部に空気が取り込まれ、排出口３２からケース３０外部へと排出される。
【００３４】
照明部３４は検出領域に光を照射し、該検出領域を上昇気流に乗って浮遊粒子が通過すると、粒径に応じた散乱光パルスが発生し、これを受光素子３５が検出する。受光素子３５からは、光散乱原理に基づいて、単位体積あたりの粒子個数に相当するパルス出力（あるいはアナログ電圧）を出力する。埃センサ７における検出可能な粒子径レンジは、上述したように、例えば１μｍ以上と２．５μｍ以上の２レンジである。
【００３５】
埃センサ７において、ケース３０、照明部３４、受光素子３５およびヒータ３６などは、帯電防止性を有している。部材が帯電防止性を有するとは、例えば、部材を帯電防止樹脂等の帯電防止材料にて形成したり、部材の表面に帯電防止膜を成膜するなどの帯電防止処理を施したりすることである。
【００３６】
埃センサ７は、空気清浄機本体３の側面下部の下部吸込口４近傍に設けられた埃センサ収容部２０に備えられている。埃センサ収容部２０は、空気清浄機本体３の筐体を構成する隔壁２１にて区画されている。
【００３７】
埃センサ収容部２０の空気清浄機本体３の側面に面した開口には、埃センサ収容部２０を区画する隔壁２１の一部をなす前カバー（カバー部）２２が設けられている。この前カバー２２には、埃センサ収容部２０に収容された埃センサ７の吸引口３１および排出口３２と対応する位置に、開口２５，２６が形成されている。開口２５，２６はそれぞれ、上下に配された一対の開口２５ａ，２５ｂ、開口２６ａ，２６ｂからなる。
【００３８】
従来の埃センサには、使用しているうちに埃センサ内部に浮遊粒子が堆積して検出精度を維持できない問題がある。上述したように、浮遊粒子が埃センサ内部に堆積すると、たとえ帯電防止策が施されていたとしても、堆積した浮遊粒子が、埃センサ内部の壁面や照明部、受光素子に付着してしまい、検出精度が低下する。
【００３９】
本願出願人は、従来の埃センサにおいて内部に塵埃が堆積する原因を追究して下記（１）〜（３）を見出した。
【００４０】
（１）自己吸引式の埃センサでは、空気を暖めて発生する上昇気流を利用しているため、空気の流れが弱い。その結果、粒径の大きい重い浮遊粒子が排出され難く、堆積しやすい。
【００４１】
（２）埃センサが下部吸込口の近傍に配設されているため、下部吸込口からの空気吸い込み時に、この吸い込みによる気流の影響を受けて、埃センサ内部に自己吸引による取り込み量以上の量の空気が入り込む。下部吸込口に吸い込まれる空気には、低い位置に存在する粒径の大きい浮遊粒子（塵埃）が含まれているため、結果的に、粒径の大きい浮遊粒子を粒径の検出に必要な量以上に吸い込んでしまい、堆積が助長される。
【００４２】
（３）埃センサ収容部を区画する隔壁に対しては、帯電防止策が施されていない。そのため、前カバーの開口部分などに、下部吸込口に吸い込まれる空気中の粒径の大きい浮遊粒子（塵埃）が付着して塊になりやすい。この塊が埃センサ内部に入り込むと、さらに重さを増しているため、より一層排出され難い。
【００４３】
本実施形態の空気清浄機１では、上記（３）を原因とする浮遊粒子の堆積を抑制・防止すべく、埃センサ収容部２０を区画する、前カバー２２を含む隔壁２１を、帯電防止性を有する構成している。具体的には、前カバー２２を含む隔壁２１を、帯電防止樹脂（帯電防止材料）を用いて構成している。なお、ここでは、前カバー２２以外の隔壁２１にも帯電防止性を付与しているが、少なくとも前カバー２２が帯電防止性を有する構成であればよい。
【００４４】
帯電防止樹脂を用いて構成された、前カバー２２を含む隔壁２１には、静電気が帯電し難いため、浮遊粒子が付着し難くなり塊が形成されない。その結果、浮遊粒子（塵埃）の塊を吸い込むことによる浮遊粒子の堆積を抑制・防止できる。
【００４５】
また、下部吸込口４使用時に、前カバー２２における開口２５ある又は開口２６あるいはその両方を部分的に塞ぐ蓋部を設けたり、埃センサ７の吸引口３１から埃センサ７内に吸い込まれる空気の量を変化させるために、ヒータ３６を、発熱量を変更することが可能な構成にしたり、埃センサ７内部にペルチェ素子等の冷却部を設けたりすることが好ましい。
【００４６】
〔実施形態２〕
本発明の他の実施形態について、図６に基づいて説明すれば、以下の通りである。なお、説明の便宜上、前記実施形態にて説明した部材と同じ機能を有する部材については、同じ符号を付記し、その説明を省略する。
【００４７】
本実施形態にかかる空気清浄機１Ａは、図６に示すように、空気清浄機１において、さらに、前カバー２２を含む埃センサ収容部２０を区画する隔壁２１に、アース４０が設けられている構成である。
【００４８】
アース４０は、例えば、前カバー２２を含む隔壁２１から空気清浄機１Ａの本体底面へと延びる導電パターンなどで構成できる。あるいは、空気清浄機１Ａの本体の筐体における、前カバー２２を含む隔壁２１と接触する部分、あるいは繋がっている部分を導電性材料で被覆または塗装し、この導電性材料から構成した部分を空気清浄機１Ａ底面に到達させる構成としてもよい。
【００４９】
上記構成によれば、前カバー２２を含む隔壁２１に静電気がより一層帯電し難くなるので、より一層効果的に、浮遊粒子が付着して塊となること抑制・防止できる。その結果、浮遊粒子（塵埃）の塊を吸い込むことによる浮遊粒子の堆積をより一層効果的に抑制・防止できる。
【００５０】
〔実施形態３〕
本発明の他の実施形態について、図７に基づいて説明すれば、以下の通りである。なお、説明の便宜上、前記実施形態にて説明した部材と同じ機能を有する部材については、同じ符号を付記し、その説明を省略する。本実施形態は、上記（２）（３）の原因による浮遊粒子の堆積を抑制・防止するものである。
【００５１】
本実施形態にかかる空気清浄機１Ｂは、図７に示すように、空気清浄機１又は１Ａにおいて、さらに、埃センサ７の吸引口３１に対応する前カバー２２の開口２５を、部分的に塞ぐ蓋部４１が設けられている構成である。
【００５２】
蓋部４１は、側部吸込口５から空気を吸い込む通常運転モードでは、図７の（ａ）に示すように、前カバー２２に形成された、吸引口３１に対応する一対の開口２５ａ，２５ｂを両方共開放している。前パネル２が上方に移動して下部吸込口４が開放されると（下部吸込口４からも空気を吸い込む足元吸込モード）、図７の（ｂ）に示すように、前パネル２に連動して、前カバー２２に形成された、吸引口３１に対応する一対の開口２５ａ，２５ｂのうちの一方の開口２５ａを塞ぐ（図７の（ｂ）参照）。
【００５３】
なお、図７の構成では、前カバー２２に形成された、排出口３２に対応する一対の開口２６ａ，２６ｂのうちの一方の開口２６ｂも塞いでいるが、排出口３２に対応した開口２６については、必ずしも部分的に塞ぐ必要はない。
【００５４】
上記構成によれば、下部吸込口４からの空気吸い込み時（足元吸込モード時）、前パネル２の移動に連像して、埃センサ７の吸引口３１が部分的に蓋部４１にて塞がれる。これにより、下部吸込口４からの吸い込みによる気流の影響を受けて、自己吸引にて取り込む量以上の空気が埃センサ７内部に入り込むことを防止できる。その結果、延いては、下部吸込口４に向かう気流の影響を受けて、粒径および数量の検出に必要な量以上の浮遊粒子を吸い込んで浮遊粒子の堆積を助長することを、効果的に防止できる。
【００５５】
なお、図７の構成では、吸引口３１に対応する前カバー２２の一対の開口２５ａ，２５ｂのうちの一方を塞いでいるが、排出口３２に対応した前カバー２２の一対の開口２６ａ，２６ｂのうちの一方を塞いでもよい。
【００５６】
また、本実施形態では、蓋部４１を実施形態１，２の空気清浄機１又は１Ａに設ける構成を例示した。しかしながら、実施形態１，２の特徴的構成との組合せは必須ではなく、従来の空気清浄機に蓋部４１を単独で設けた構成としてもよい。要は、下部吸込口４からの空気吸い込み時（足元吸込モード時）に、埃センサ７の吸引口３１もしくは排出口３２の少なくともどちらか一方を部分的に塞ぐことで、上記（２）（３）の原因による浮遊粒子の堆積を抑制・防止できる。
【００５７】
また、本実施形態では、蓋部４１を前パネル２に連動させて、前パネル用駆動部１１を蓋部４１の開閉に共用している。これにより、蓋部４１を開閉させるための駆動部を別途設ける必要がなく、蓋部４１を設けるのにかかるコストを削減できるという効果がある。
【００５８】
〔実施形態４〕
本発明の他の実施形態について、図８に基づいて説明すれば、以下の通りである。なお、説明の便宜上、前記実施形態にて説明した部材と同じ機能を有する部材については、同じ符号を付記し、その説明を省略する。本実施形態は、上記（２）（３）の原因による浮遊粒子の堆積を抑制・防止するものである。
【００５９】
本実施形態にかかる空気清浄機１Ｃは、図８に示すように、空気清浄機１又は１Ａにおいて、さらに、埃センサ７の吸引口３１に対応する前カバー２２の開口２５を、部分的に塞ぐ蓋部４２が設けられている構成である。
【００６０】
蓋部４２は、前カバー２２の上方で固定された弾力性を有するシートからなり、負荷を受けない自然な状態で、下方が前カバー２２からは離れる方向に反っている。つまり、側部吸込口５から空気を吸い込む通常運転モードでは、図８の（ａ）に示すように、前カバー２２に形成された、吸引口３１に対応する一対の開口２５ａ，２５ｂを両方共開放している。下部吸込口４から空気が吸い込まれると（足元吸込モード）、その気流の力によって前カバー２２に押し付けられ、前カバー２２に形成された、吸引口３１に対応する一対の開口２５ａ，２５ｂのうちの一方の開口２５ｂを塞ぐ。
【００６１】
また、蓋部４２には、前カバー２２に押し付けられた状態でも、埃センサ７の排出口３２に対応する開口２６の少なくとも一部を開放できるように、開口４４が形成されている。
【００６２】
上記構成によれば、下部吸込口４からの空気吸い込み時（足元吸込モード時）、下部吸込口４に吸い込まれる気流の力によって、埃センサ７の吸引口３１が部分的に蓋部４２にて塞がれる。これにより、下部吸込口４からの吸い込みによる気流の影響を受けて、自己吸引にて取り込む量以上の空気が埃センサ７内部に入り込むことを防止できる。その結果、延いては、下部吸込口４に向かう気流の影響を受けて、粒径および数量の検出に必要な量以上の浮遊粒子を吸い込んで浮遊粒子の堆積を助長することを、効果的に防止できる。
【００６３】
なお、図８の構成では、吸引口３１に対応する前カバー２２の一対の開口２５ａ，２５ｂのうちの一方を塞いでいるが、排出口３２に対応した前カバー２２の一対の開口２６ａ，２６ｂのうちの一方を塞いでもよい。
【００６４】
また、本実施形態では、蓋部４２を実施形態１，２の空気清浄機１又は１Ａに設ける構成を例示した。しかしながら、実施形態１，２の特徴的構成との組合せは必須ではなく、従来の空気清浄機に蓋部４２を単独で設けた構成としてもよい。要は、下部吸込口４からの空気吸い込み時（足元吸込モード時）に、埃センサ７の吸引口３１もしくは排出口３２の少なくともどちらか一方を部分的に塞ぐことで、上記（２）（３）の原因による浮遊粒子の堆積を抑制・防止できる。
【００６５】
また、本実施形態では、蓋部４２を下部吸込口４による気流の力を利用して開閉させている。これにより、蓋部４２を開閉させるための駆動部を別途設ける必要がなく、蓋部４２を設けるのにかかるコストを削減できるという効果がある。
【００６６】
なお、図８の構成では、蓋部４２の長さを調整して、上方の開口２５ｂを塞ぐ構成としているが、構成はこれに限るものではない。例えば、前カバー２２を覆う長さを有する蓋部４２に、前カバー２２に押し付けられた状態で、一対の開口２５ａ，２５ｂのうちの一方を開放する開口を形成した構成や、前カバー２２に押し付けられた状態で、一対の開口２５ａ，２５ｂのそれぞれを部分的に塞ぐ構成などとしてもよい。
【００６７】
さらに、本実施形態では、蓋部４２を前カバー２２の外側に取り付ける構造としたが、前カバー２２と埃センサ７との間の空間に取り付けて、埃センサ７の吸引口３１もしくは排出口３２のどちらか一方、あるいは両方を塞ぐようにしてもよい。
【００６８】
〔実施形態５〕
本発明の他の実施形態について、図９に基づいて説明すれば、以下の通りである。なお、説明の便宜上、前記実施形態にて説明した部材と同じ機能を有する部材については、同じ符号を付記し、その説明を省略する。本実施形態は、上記（１）〜（３）の原因による浮遊粒子の堆積を抑制・防止するものである。
【００６９】
本実施形態にかかる空気清浄機１Ｄは、図９に示すように、空気清浄機１，１Ａ〜１Ｃにおいて、埃センサ７が埃センサ７Ａに置き換わった構成である。埃センサ７Ａは、埃センサ７において、ケース３０内部の空間上部に、ペルチェ素子（冷却部）４３が設けられた構成である。埃センサ７Ａにおいては、ヒータ３６による加熱とペルチェ素子４３による冷却とで、埃センサ７よりも強い上昇気流を発生させて、吸引口３１から検出用の空気を引き込む。
【００７０】
上記構成によれば、強い上昇気流により、埃センサ７Ａが、従来の埃センサでは排出できなかった、粒径の大きい重い浮遊粒子をも排出できるようになるので、浮遊粒子の堆積をより一層効果的に抑制・防止できる。
【００７１】
なお、本実施形態では、埃センサ７Ａを、実施形態１〜４の空気清浄機１，１Ａ〜１Ｃに搭載する構成を例示した。しかしながら、実施形態１〜４の特徴的構成との組合せは必須ではなく、従来の空気清浄機に埃センサ７Ａを単独で搭載させた構成としてもよい。要は、自己吸引式の埃センサ７Ａで発生する上昇気流を強めて排出能力を高めることで、上記（１）の原因が取り除かれ、ひいては、上記（２），（３）の原因による浮遊粒子の堆積をも抑制・防止できる。
【００７２】
〔実施形態６〕
本発明の他の実施形態について、図１０に基づいて説明すれば、以下の通りである。なお、説明の便宜上、前記実施形態にて説明した部材と同じ機能を有する部材については、同じ符号を付記し、その説明を省略する。本実施形態は、上記（２）の原因による浮遊粒子の堆積を抑制・防止するものである。
【００７３】
本実施形態にかかる空気清浄機１Ｅは、図１０に示すように、空気清浄機１，１Ａにおいて、埃センサ７が埃センサ７Ｂに置き換わった構成である。埃センサ７Ｂは、ヒータ３６に代えて発熱量の切り換えが可能なヒータ５０を搭載している。ヒータ５０は、ヒータ３６と同等の通常発熱量と、それよりも小さい小発熱量との２段階に、発熱量を切り換えることができる。ヒータ５０の発熱量が小発熱量の場合、発生する上昇気流は埃センサ７よりも弱いものとなる。
【００７４】
制御部１０Ａは、下部吸込口４からの空気吸い込み時（足元吸込モード時）、ヒータ５０の発熱量を小発熱量に切り換える。これにより、粒径の検出に必要な量を超えて、粒径の大きい浮遊粒子が埃センサ７Ｂ内部に入ってくることを抑制・防止できる。また、前カバー２２に付着した大きい浮遊粒子の塊を吸い込むことも阻止できる。その結果、埃センサ７Ｂ内部における浮遊粒子の堆積を効果的に抑制・防止できる。
【００７５】
〔まとめ〕
本発明の態様１に係る空気清浄機１，１Ａ〜１Ｅは、空気清浄機本体３の下部に、清浄用空気を吸い込む吸込口（下部吸込口４）が設けられる一方、同下部に、空気中に含まれる浮遊粒子の粒径を検出する検出器（埃センサ７）であって、上昇気流を発生させるための発熱部（ヒータ３６）を内部に備えた検出器（埃センサ７）が、検出用空気を取り込む取込穴（吸引口３１）を前記吸込口（下部吸込口４）に吸い込まれる空気の流れに面して配設される。このように構成された空気清浄機において、前記検出器（埃センサ７）を収容する空気清浄機本体３に形成された収容部（埃センサ収容部２０）を区画する隔壁２１のうちの、前記取込穴（吸引口３１）に対応する開口２５を有する少なくともカバー部（前カバー２２）が、帯電防止性を有している。
【００７６】
上記構成によれば、収容部（埃センサ収容部２０）を区画する隔壁２１のうち、少なくともカバー部（前カバー２２）が帯電防止性を有しているので、カバー部（前カバー２２）に浮遊粒子が付着し難くなり塊が形成されない。これにより、検出器（埃センサ７）内部に、カバー部（前カバー２２）に付着した浮遊粒子（塵埃）の塊が吸い込まれて浮遊粒子として堆積することを抑制・防止できる。
【００７７】
本発明の態様２に係る空気清浄機１，１Ａ〜１Ｅは、上記態様１において、前記カバー部（前カバー２２）が帯電防止材料を用いて構成されている構成であり、帯電防止材料を用いることで、簡単に帯電防止性を付与できる。
【００７８】
本発明の態様３に係る空気清浄機１Ａは、上記態様２において、前記カバー部（前カバー２２）にアース４０が設けられている構成であり、アース４０を設けることで、より効果的にカバー部（前カバー２２）に浮遊粒子が付着して塊になることを抑制・防止できる。
【００７９】
本発明の態様４に係る空気清浄機１Ｂ，１Ｃは、上記態様１〜３において、前記吸込口（下部吸込口４）から清浄用空気を吸い込む運転モード時（通常運転モード）、前記カバー部（前カバー２２）における前記開口２５を部分的に閉鎖する蓋部４１，４２が設けられている構成である。
【００８０】
上記構成によれば、吸込口（下部吸込口４）からの空気吸い込み時（足元吸込モード時）、検出器（埃センサ７）の取込穴（吸引口３１）が部分的に蓋部４１にて塞がれる。これにより、吸込口（下部吸込口４）からの吸い込みによる気流の影響を受けて、自己吸引にて取り込む量以上の空気が検出器（埃センサ７）内部に入り込むことを防止できる。その結果、延いては、吸込口（下部吸込口４）に向かう気流の影響を受けて、検出器（埃センサ７）が、粒径の検出に必要な量以上の浮遊粒子を吸い込んでしまって浮遊粒子の堆積を助長することを、効果的に防止できる。
【００８１】
本発明の態様５に係る空気清浄機１Ｂは、上記態様４において、前記蓋部４１は、前記吸込口（下部吸込口４）を開放する動作に連動して前記開口２５を部分的に閉鎖する構成であり、これによれば、蓋部４１を開閉させるための駆動部を別途設ける必要がなく、蓋部４１を設けるのにかかるコストを削減できる。
【００８２】
本発明の態様６に係る空気清浄機１Ｃは、上記態様４において、前記蓋部４２は、前記吸込口（下部吸込口４）に吸い込まれる清浄用空気の流れの力によって前記開口２５を部分的に閉鎖する構成であり、これによっても、蓋部４２を開閉させるための駆動部を別途設ける必要がなく、蓋部４２を設けるのにかかるコストを削減できる。
【００８３】
本発明の態様７に係る空気清浄機１Ｄは、上記態様１〜６において、前記検出器（埃センサ７Ａ）は、内部に冷却部（ペルチェ素子４３）を備え、前記発熱部（ヒータ３６）と前記冷却部（ペルチェ素子４３）とにより上昇気流を発生させる構成である。
【００８４】
上記構成によれば、強い上昇気流により、検出器（埃センサ７Ａ）が、従来の埃センサでは排出できなかった、粒径の大きい重い浮遊粒子をも排出できるようになるので、検出器（埃センサ７Ａ）内部における浮遊粒子の堆積をより一層効果的に抑制・防止できる。
【００８５】
本発明の態様８に係る空気清浄機１Ｄは、上記態様１〜６において、前記発熱部（ヒータ５０）の発熱温度が切り換え可能であり、前記吸込口（下部吸込口４）から清浄用空気を吸い込む運転モード時の発熱温度が、前記吸込口（下部吸込口４）から清浄用空気を吸い込まない他の運転モード時の発熱温度よりも低い構成である。
【００８６】
上記構成によれば、粒径および数量の検出に必要な量を超えて、粒径の大きい浮遊粒子が検出器（埃センサ７Ｂ）内部に入ってくることを抑制・防止できる。また、カバー部（前カバー２２）に付着した大きい浮遊粒子の塊を吸い込むことも阻止できる。その結果、検出器（埃センサ７Ｂ）内部における浮遊粒子の堆積を効果的に抑制・防止できる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８８】
本発明は、空気清浄機本体の下部に吸込口を有し、その近傍に埃センサを搭載した空気清浄機に利用することができる。
【符号の説明】
【００８９】
１、１Ａ〜１Ｅ  空気清浄機
２  前パネル
３  空気清浄機本体
４  下部吸込口（吸込口）
５  側部吸込口
６  吹出口
７、７Ａ、７Ｂ  埃センサ（検出器）
１０、１０Ａ  制御部
１１  前パネル用駆動部
１２  ルーバ用駆動部
１３  アーム
１４  吹出ルーバ
２０  埃センサ収容部
２１  隔壁
２２  前カバー（カバー部）
２５  開口
２５ａ，２５ｂ  開口
２６  開口
２６ａ，２６ｂ  開口
３０  ケース
３１  吸引口（取込穴）
３２  排出口
３４  照明部
３５  受光素子
３６、５０  ヒータ
４０  アース
４１，４２  蓋部
４３  ペルチェ素子（冷却部）
【図１】
2016109317.tif 000003
【図２】
2016109317.tif 000004
【図３】
2016109317.tif 000005
【図４】
2016109317.tif 000006
【図５】
2016109317.tif 000007
【図６】
2016109317.tif 000008
【図７】
2016109317.tif 000009
【図８】
2016109317.tif 000010
【図９】
2016109317.tif 000011
【図１０】
2016109317.tif 000012